【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
（イ）図１のマカ露地栽培適合条件（Ｅ１）から路地での秋口から厳寒期の冬の環境条件を拡充するにあたり、従来圃場手入れしていた（Ｅ３）圃場（Ｅ２）（使用していた圃場であれば、土壌の地質、栽培していた作物の生育，圃場の地温、日当りなど圃場環境が容易にわかる。）はマカ栽培圃場に適合するか判断の一つである。次に雑草処理をしていた（Ｅ４）圃場であること（露地栽培での畑作業の難題は雑草の管理で、農作業の基本であり商品品質に影響が及ぼす。）この為に、定植３０日前に、太陽熱消毒をやる。太陽熱消毒の仕方：放線菌類などの菌類と米ぬかを入れて醗酵させた圃場にビニールを敷いて地温を上げて病原菌や害虫を蒸し殺す太陽熱消毒を約３０日ほどかけて、土壌消毒を済ます。
（ロ）猪などの防獣被害（Ｅ５）のある圃場（Ｅ２）は、防獣対策（Ｅ６）を施し手ある圃場（Ｅ２）であること。
（ハ）気候（Ｅ７）条件としては、冬の厳寒期の条件で雪が降るが３日位で溶け（Ｅ９）、厳寒期でもマイナス５℃以内（Ｅ１０）であれば、水管理の作業潅水は手潅水散布（Ｅ１１）でも可能（潅水装置を使用する場合は、土にではなく植物の根本に水が散布されて根の発育によい点滴潅水装置が望ましい）。
（ニ）雪が降り、厳寒期でマイナス５℃以上（Ｅ１２）になる圃場はトンネル栽培（Ｅ１３）を設け、トンネルには“使用資材一例”として寒冷紗と商品名：ユーラックカンキ（換気口を開けたトンネルフィルム）などを設け、水管理の作業潅水は灌水装置（Ｅ１４）を設け、装置は点滴装置（Ｅ１５）を備える。図１の管理工程に準ずることを特徴とするマカ球根野菜露地定植栽培法。
【請求項２】
（イ）マカ路地圃場内に、マカ圃場作り（図２）のマカ定植栽培工程法に沿って、完熟堆肥（Ｆ２）使用を厳守（マカの根は細いので不完熟堆肥「未熟堆肥」を使用すると根に障害が出る）し、７月（Ｆ３）、８月（Ｆ４）、９月初旬頃（Ｆ５）に各１トンを１０ａ（１反＝３００坪）目安に完熟堆肥（Ｆ２）を入れその月内堆肥投入後に耕転（Ｆ６）作業する。
（ロ）上記３ヶ月にわたり、路地圃場に完熟堆肥（Ｆ２）を入れ耕転（Ｆ６）し、微生物入りの土壌改良資材（Ｆ７）を入れる。土壌改良資材（Ｆ７）として、植物ミネラルを含む、放線菌、糸状菌類、一般細菌類の多い“使用資材一例”：製品名ミラクル酵素５ｋ入り土壌改良資材（Ｆ７）１０ａ当り３０ｋｇ投入し耕転（Ｆ６）する。
（ハ）定植４５日前（Ｆ８）に石灰（カルシウム）を施用しｐＨを６．０〜６．５（Ｆ９）に調整します。マカの養分吸収に耐えられるように地力維持（Ｆ１０）の対応に完熟堆肥（Ｆ２）厳守で投入し定植３０日前（Ｆ１１）に雑草対策（Ｆ１２）します。
（ニ）元肥（Ｆ１３）に１０ａ当り（１反＝３００坪）目安、“使用資材一例”：製品名ビッグハーベイ１００号は加工動物質原料肥料（Ｆ１４）を使用して低温時でも吸収されやすく長期肥効・緩効性タイプで肥料成分の流亡を防ぎ環境に優しい肥料です、成分で１０ａ当り１０ｋｇ（２０ｋｇ袋）使用。
（ホ）元肥（Ｆ１３）にミネラル肥料（Ｆ１１）“使用資材一例”：製品名：貝化石ミネライトは１００％天然鉱物で微量要素も多く含み、ケイ酸とアルミナが複合状態になった粘土鉱物（ｐＨ６．２〜８．１）です。ケイ酸が土の保肥力を高め、活性のアルミナがチッソを吸着し、チッソの異常・過剰吸収を防ぎ、食味、日持ちが向上します。１０ａ当り２００ｋｇ（２０ｋｇ袋×１０袋）使用。
（ヘ）元肥（Ｆ９）に害虫肥料（Ｆ１２）“使用資材一例”：製品名ニーム核油かす（含有成分Ｎ−６．３  Ｐ−１．３  Ｋ−３．２）で有機ＪＡＳ規格適合資材です。１０ａ当り６０ｋｇ（２０ｋｇ袋）使用。有効成分「アゼディラクチン」は害虫のホルモン系に作用して食欲を減退させるという作用で効果を発揮します。又害虫が耐性を生じないという特徴を持ちます。
（ト）“使用資材一例”加工動物質原料肥料（Ｆ１４）・ミネラル肥料（Ｆ１５）・害虫肥料（Ｆ１６）を土壌耕起時に混和し、畝立て（Ｆ１７）の高さは最低２０ｃｍ位高く高畦仕上げとし、十分に潅水（Ｆ１８）をする。
（チ）マルチ張り（Ｆ１９）には“使用資材一例”：製品名オオクラＦＣ５０−５６１８フィルム巾１５０ｃｍ長さ２００ｍ／穴６列並列／色黒／厚さ０．０３ｍｍでマルチフィルムを張り、マカの苗穴（Ｆ２０）を設ける。
（リ）マカの苗穴（Ｆ２０）後、ビニール（Ｆ２１）（０．０５ｍｍ〜０．１ｍｍ）を２０日位ベタ張りして、“使用消毒一例”太陽熱を利用した太陽熱消毒のやりかたで圃場消毒（Ｆ２２）を行う。
図２の管理工程に準ずることを特徴とする請求項１記載のマカ球根野菜露地定植栽培法。
【請求項３】
（イ）別棟ハウス内でマカの苗作り（Ｇ１）を設ける。（図３）からマカ専用育苗管理工程により、苗作り（Ｇ１）の播種は８月内に行う。播種開始日づけは、寒い地域（Ｇ３）の北海道・寒冷地・極寒地帯（Ｇ４）は８月１５日頃より播種開始（Ｇ５）厳守し、温暖な地域（Ｇ６）の播種は８月２２日〜２８日（Ｇ７）厳守で始まり、東北（Ｇ８）の播種は８月２０日〜２５日（Ｇ７）厳守で行う。
（ロ）育苗用のプラグトレー（Ｇ１０）は小さい穴で早く根を充実させる事により植える時にも植え傷みが少ない“使用資材一例”：２８８穴のプラグトレー（Ｇ１０）などを使用する。
（ハ）プラグトレー（Ｇ１０）に入れる播種培土（Ｇ１１）は、“使用資材一例”：肥効の効果が４０日以上ある、製品名タキイ「たねまき培土」（Ｇ１１）などを用い。プラグトレー（Ｇ１０）に播種培土（Ｇ１１）を入れたプラグ床（Ｇ１２）を給水（Ｇ１３）し、１時間程置いてから、播種（１５）し、うすく覆土（Ｇ１６）し、水を与え、育苗が終わる迄ハウスに白もしくは黒の遮光幕（Ｇ１８）３０％を育苗が終わる迄張るように設ける。
（ニ）定植前の水管理（Ｇ１９）はプラグ土乾燥（Ｇ２０）する前に１日数回水をかける（Ｇ２１）。
（ホ）育苗管理（Ｇ２２）後、発芽（Ｇ２３）は４〜５日で揃い播種後２５日位で育苗終了（Ｇ２５）しますが、防虫対策（Ｇ２４）として育苗中に害虫が発生したら、害虫肥料（Ｆ１２）“使用資材一例”：製品名：あざでらん（ニームツリーの種子より抽出精製された植物油）害虫調節資材３００倍を製品名植物保護活性液：彩葉（いろは）コートを１５００倍との混合液で噴霧する。１０ａ当り（１反＝３００坪）１００Ｌ〜１５０Ｌ散布。  冬季間使用時は、２５℃のお湯使用。
図３の管理工程に準ずることを特徴とする請求項１、請求項２記載のマカ球根野菜露地定植栽培法。
【請求項４】
（イ）図４の定植（Ｈ１）は播種後、９月２５日〜３０日（Ｈ２）内厳守で完了するように設ける。遅く定植（Ｈ１）すると、球の肥大に影響する事が有る。９月内に定植（Ｈ３）完了し、定植後は土壌乾燥状態を見ながら毎日（Ｈ５）１ヶ月（Ｈ６）潅水（Ｈ４）する。
（ロ）潅水（Ｈ４）と、ともに１０日に一回防虫対策（Ｈ７）として消毒などをする。害虫対策として“使用資材一例”：製品名／植物保護活性液；彩葉（いろは）コート５００ｍｌ
2017042154.tif 000001
使用時は、２５℃のお湯使用。
図４の管理工程に準ずることを特徴とする請求項１、２、３記載のマカ球根野菜露地定植栽培法。
【請求項５】
１．（イ）９月管理（Ｊ１）の定植後（Ｊ２）の潅水（Ｊ３）は土壌の乾燥状態を見ながら毎日活着するまで（Ｊ４）約２週間（Ｊ５）潅水（Ｊ６）し、暖かい季節の月での潅水は手散布潅水も可能である。点滴潅水装置（Ｊ７）は緩やかな速度で、点滴状態で水がゆっくりとしみ込んでゆくので、作物の根はすくすく育ち、根にとって理想的な土壌環境を提供してくれ、水と肥料の吸収率が高まるなどの長所がある。
（ロ）９月管理（Ｊ１）での換気（Ｊ８）は、防虫対策を考慮して寒冷紗使用トンネルとする。遮光や防雨、防虫を考慮してトンネルハウス（Ｊ９）を設け、トンネルハウス（Ｊ９）にトンネル被覆（Ｊ１０）（“使用資材一例”：寒冷紗など、特長は害虫の侵入を防ぎ、通気性があり、換気作業などが省け、潅水装置の設定もできる）を設ける。防虫対策（Ｊ１１）は１０日に１回（Ｊ１２）予防（動噴であれば月２回）し、マカの根が傷むので除草（Ｊ１３）は早めに行う。
２．（イ）１０月管理（Ｋ１）の潅水方法（Ｋ２）は土壌の乾燥状態を見ながら毎日１回（Ｋ４）、１ヶ月以上（Ｋ５）、点滴潅水装置（Ｋ７）などで潅水（Ｋ６）する。
（ロ）１０月管理（Ｋ１）での換気（Ｋ８）は遮光や防雨、防虫を考慮してトンネルハウス（Ｋ９）を設け、トンネルハウス（Ｋ９）にトンネル被覆（Ｋ１０）（“使用資材一例”：寒冷紗など、特長は害虫の侵入を防ぎ、通気性があり、換気作業などが省け、潅水装置の設定もできる）を設ける。防虫対策（Ｋ１１）は１０日に１回（Ｋ１２）予防（動噴であれば月２回）し、マカの根が傷むので除草（Ｋ１３）は早めに行う。
３．（イ）１１月管理（Ｌ１）の潅水方法（Ｌ２）は土壌乾燥状態を見ながら５日に１回（Ｌ４）、１ヶ月以上（Ｌ５）点滴潅水装置（Ｋ７）などで潅水（Ｌ６）する。
（ロ）１１月管理（Ｌ１）での換気（Ｌ８）は遮光や防雨、防虫を考慮してトンネルハウス（Ｌ９）を設け、トンネルハウス（Ｌ９）にトンネル被覆（Ｌ１０）（“使用資材一例”：寒冷紗の上にユーラックカンキフィルムなどを張る。特長は害虫の侵入を防ぎ、通気性があり、換気作業などが省け、潅水装置の設定もできる）を設ける。
防虫対策（Ｌ１１）は１０日に１回（Ｌ１２）予防（動噴であれば月２回）し、マカの根が傷むので除草（Ｌ１３）は早めに行う。
−５−
４．（イ）１２月管理（Ｖ１）の潅水方法（Ｖ２）は土壌乾燥状態を見ながら、朝の早い時間に潅水し、５日に１回（Ｖ４）、１ヶ月以上（Ｖ５）点滴潅水装置（Ｖ７）などで潅水（Ｖ６）する。
（ロ）１２月管理（Ｖ１）での換気（Ｖ８）は遮光や防雨、防虫を考慮してトンネルハウス（Ｌ９）を設け、トンネルハウス（Ｖ９）にトンネル被覆（Ｖ１０）（“使用資材一例”：寒冷紗の上にユーラックカンキフィルムを張りそのまま管理する。
防虫対策（Ｖ１４）は１０日に１回（Ｖ１５）予防（動噴であれば月２回）し、マカの根が傷むので除草（Ｌ１６）は早めに行う。１２月２０日以降球は肥大が始まる。
５．（イ）１月管理（Ｂ１）の潅水方法（Ｂ２）は土壌乾燥状態を見ながら、朝の早い時間に潅水し、１０日に１回（Ｂ４）、１ヶ月以上（Ｂ５）点滴潅水装置（Ｂ７）などで潅水（Ｂ６）する。
（ロ）１月管理（Ｂ１）での換気（Ｂ８）は遮光や防雨、防虫を考慮してトンネルハウス（Ｂ９）を設け、トンネルハウス（Ｂ９）にトンネル被覆（Ｖ１０）（“使用資材一例”：寒冷紗の上にユーラックカンキフィルムを継続して張る。
防虫対策（Ｂ１４）は１０日に１回（Ｂ１５）予防（動噴であれば月２回）し、マカの根が傷むので除草（Ｂ１６）は早めに行う。
（ハ）１月のマカの球の肥大がはじまる（Ｂ１７）。
６．（イ）１月管理（Ｂ１）の潅水方法（Ｂ２）は土壌乾燥状態を見ながら、朝の早い時間に潅水し、１０日に１回（Ｂ４）、１ヶ月以上（Ｂ５）点滴潅水装置（Ｂ７）などで潅水（Ｂ６）する。
（ロ）２月管理（Ｎ１）での換気（Ｎ８）は遮光や防雨、防虫を考慮してトンネルハウス（Ｎ９）を設け、トンネルハウス（Ｎ９）にトンネル被覆（Ｎ１０）（“使用資材一例”：寒冷紗の上にユーラックカンキフィルムを継続して張る。
防虫対策（Ｎ１４）は１０日に１回（Ｎ１５）予防（動噴であれば月２回）し、マカの根が傷むので除草（Ｎ１６）は早めに行う。
（ハ）２月のマカの球の肥大は継続中である（Ｎ１７）。
７．（イ）３月管理（Ｍ１）の潅水方法（Ｍ２）は土壌乾燥状態を見ながら、朝の早い時間に潅水し、１０日に１回（Ｍ４）、１ヶ月以上（Ｍ５）点滴潅水装置（Ｍ７）などで潅水（Ｍ６）する。
（ロ）３月管理（Ｍ１）での換気（Ｍ８）は遮光や防雨、防虫を考慮する。３月の暖かくなってからユーラックカンキを取り除き寒冷紗一枚とする。
防虫対策（Ｍ１４）は１０日に１回（Ｍ１５）予防（動噴であれば月２回）し、マカの根が傷むので除草（Ｍ１６）は早めに行う。
（ハ）３月のマカの球が下旬より肥大がはじまる（Ｍ１７）。
図５、図６、図７、図８、図９、図１０，図１１の管理工程に準ずることを特徴とする請求項１、請求項２、請求項３、請求項４記載のマカ球根野菜露地定植栽培法。
【請求項６】
（イ）図１２の収穫（Ｚ１）は、マカ球の肌が良い収穫時期（Ｚ２）３月２０日（Ｚ３）から始まり収穫の仕方は根こそぎ、全て抜き取る（Ｚ４）３月２５日頃迄目安に収穫（Ｚ５）し収穫完了（Ｚ６）する。
（ロ）収穫したマカは、清い水やオゾン水などで洗浄（Ｚ７）を厳守し、マカ葉（Ｚ９）をカットし、マカ球（Ｚ１０）と、選別（Ｚ８）し、マカ葉（Ｚ９）はそのまま洗浄した清潔なコンテナ選別（Ｚ１１）に入れて２日〜３日位陰干し（Ｚ１４）をする。
（ハ）マカ球（Ｚ１０）は、さらに１球当りのサイズ（２Ｌ・Ｌ・Ｍ・Ｓ・外）と重量（８０ｇ〜外のキズ選別）に厳しい規格選別（Ｚ１２）し、清潔なコンテナ選別（Ｚ１３）に入れて２日〜３日位陰干し（Ｚ１４）をする。
（ハ）出荷時にはコンテナに“使用資材一例”：製品名ＦＬシート「生花鮮度保持シート」７規格サイズ１２００ｍｍ×１０００ｍｍを敷き、マカ全体を包んで乾燥防止する。
国産マカ原料をマカ育苗から収穫、品質管理出荷まで高品質のマカが収穫されることを特徴とする請求項１、２、３、４、５記載のマカ生産のマカ球根野菜ハウス定植栽培法。
【手続補正２】
【補正対象書類名】図面
【補正対象項目名】図５
【補正方法】変更
【補正の内容】
【図５】
2017042154.tif 000002
【手続補正３】
【補正対象書類名】図面
【補正対象項目名】図８
【補正方法】変更
【補正の内容】
【図８】
2017042154.tif 000003
【手続補正４】
【補正対象書類名】図面
【補正対象項目名】図９
【補正方法】変更
【補正の内容】
【図９】
2017042154.tif 000004
【手続補正５】
【補正対象書類名】図面
【補正対象項目名】図１０
【補正方法】変更
【補正の内容】
【図１０】
2017042154.tif 000005
【手続補正６】
【補正対象書類名】図面
【補正対象項目名】図１１
【補正方法】変更
【補正の内容】
【図１１】
2017042154.tif 000006
【手続補正７】
【補正対象書類名】図面
【補正対象項目名】図１２
【補正方法】変更
【補正の内容】
【図１２】
2017042154.tif 000007